(57)【要約】      （修正有）【課題】共に組み合わせることができるモジュールを用いて教育用途の機能デバイスを提供する。【解決手段】デバイスは、１または複数のフレーム本体と、１または複数のモータ駆動式の継手であって、各々の継手は、１または複数の電気モータ、モータの電源および制御のためのユニット、ならびに固定される第１の円筒部分および可動の第２の円筒部分を有する電動式の継手とを備えるタイプの機能デバイス、特にロボットであって、第１の円筒部分は、その内部に、１または複数の電気モータを含む。各々のフレーム本体は、第１の円筒シート部または第２の円筒シート部を特定し、継手の第１の円筒シート部または第２の円筒シート部をその上に偏りなく収容し、固定するために事前配置される。【選択図】図１
2018108637.tif 000002
【特許請求の範囲】
【請求項１】
１または複数のフレーム本体と、
１または複数のモータ駆動式の継手であって、前記継手の各々は、
１または複数の電気モータ、
前記１または複数の電気モータの電源および制御のユニット、ならびに
固定された第１の円筒部分および可動の第２の円筒部分
を有する電動式の継手と
を備えるタイプの、特にロボットである機能デバイスであって、
前記第１の円筒部分は、その内部に、前記１または複数の電気モータを含み、
各々のフレーム本体は、第１の円筒シート部および第２の円筒シート部を特定し、前記第１の円筒シート部および前記第２の円筒シート部は、それらの上に偏りなく前記第１の円筒部分または前記第２の円筒部分を収容し、固定するために事前配置される、
デバイス。
【請求項２】
前記フレーム本体の前記第１の円筒シート部および前記第２の円筒シート部の直径と、前記継手の前記第１の円筒部分および前記第２の円筒部分の直径とは、実質的に等しく、それにより、前記第１の円筒シート部および前記第２の円筒シート部は、前記第１の円筒部分および前記第２の円筒部分の外壁部が、その全周に沿って前記第１の円筒シート部および前記第２の円筒シート部の内壁部と同一平面にセットされた状態に従って前記第１の円筒部分および前記第２の円筒部分を収容する、
請求項１に記載のデバイス。
【請求項３】
前記フレーム本体は、その内側に環状フランジ部が設けられた少なくとも１つの管状部分を有し、それにより、前記第１の円筒シート部および前記第２の円筒シート部のうちの少なくとも１つを画定する、
請求項１または請求項２に記載のデバイス。
【請求項４】
一連の開口部が、前記環状フランジ部上に与えられ、一連のねじ付き穴が、前記継手の前記第１の円筒部分および前記第２の円筒部分上に与えられ、前記ねじ付き穴は、ねじを用いて前記フレーム本体上に前記継手を固定すべく、前記環状フランジ部上に与えられた前記開口部と位置合わせされるために事前配置される、
請求項３に記載のデバイス。
【請求項５】
前記フレーム本体は、前記第１の円筒シート部および前記第２の円筒シート部が互いに相互に直交するそれぞれの軸を有するように、全体としてＬ字型である、
請求項１から４のいずれか一項に記載のデバイス。
【請求項６】
前記フレーム本体は、２つの反対向きに従って前記継手を収容することが可能であるべく、２つの対向した同軸の円筒シート部が与えられる、
請求項１から５のいずれか一項に記載のデバイス。
【請求項７】
前記継手の前記第１の円筒部分および前記第２の円筒部分は、それぞれの円形の端壁部を有し、その上に、前記継手を前記フレーム本体にねじで固定するための１または複数のねじ付き穴が与えられる、
請求項１から６のいずれか一項に記載のデバイス。
【請求項８】
前記継手は、
前記１または複数の電気モータを含み、カバーにより閉鎖され、前記第１の円筒部分を画定する円筒の容器と、
その端縁部と共に、前記容器に面し、前記第２の円筒部分を画定する円筒の半シェルと
を有する、
請求項１から７のいずれか一項に記載のデバイス。
【請求項９】
前記１または複数の電気モータは、ねじによって前記容器の底部に固定され、前記ねじは、前記底部に与えられた対応する開口部を旋回し、前記１または複数の電気モータの筐体上に与えられたねじ付き穴と係合する、
請求項８に記載のデバイス。
【請求項１０】
前記１または複数の電気モータは、その出力シャフト上にそれぞれのピニオンを保持し、それは、前記容器の外側に配置され、それにより前記半シェルの内部に含まれ、前記半シェルは、前記ピニオンにより係合される内側の歯を有する、
請求項８または請求項９に記載のデバイス。
【請求項１１】
全体に凹部形状を有するブラケットは、各々のピニオンに関連付けられ、それは、前記電気モータと反対側で前記容器に固定され、前記ピニオンと回転自在に係合するために与えられ、それにより、前記ピニオンを前記出力シャフトから滑り出させる傾向がある作用に対して軸方向に前記ピニオンを拘束する、
請求項１０に記載のデバイス。
【請求項１２】
前記容器および前記半シェルの外側の円筒壁部は、互いに位置合わせされる、
請求項８から１１のいずれか一項に記載のデバイス。
【請求項１３】
前記電源および制御のユニットは、設けられた一連の前記継手の中から前記電動式の継手を特定する符号を再生するためのディスプレイを有する、
請求項１から１２のいずれか一項に記載のデバイス。
【発明の詳細な説明】
【技術分野】
【０００１】
本発明は、教育用途のために、共に組み合わせることができるモジュールを用いた機能デバイスに関する。
【０００２】
従来技術を参照すると、市販の小型ロボットが今日存在し、それは一般に関節式アームの構成を提供し、道徳的および教育分野での研究あるいは使用のためのアクティビティに関する用途で、あるいはまた趣味目的で設計される。
【０００３】
上記のロボットは、小型であるだけでなく、未熟なオペレータでさえもこれらのロボットを自分自身で正確に設置し取り付けることが可能となることを目的として、共に組み合わせることができるモジュールから成る構造を有することにより、特徴付けられる。
【０００４】
ロボット工学の全体的な分野において、従来技術の米国特許第５，４２８，７１３号および米国特許第５，２９３，１０７号の文書から明らかになるように、ロボット用のモジュール構造はいずれの場合でも、以前から既に周知となっている。
【０００５】
米国特許第５，２９３，１０７号の文書は、モータ駆動式の継手を介して関節方式で共に接続された一連の構造的要素を含むロボットアームに関する。これらの継手は、回転式の電気機械アクチュエータおよびそのアクチュエータの電源および制御用ユニットをそれらの内部で統合する独立したモジュールを構成する。特に、各々の継手は、一連の巻線および対応する一連の磁石を有する回転子本体を備えた固定子本体を含む。さらにまた、本体はその上に、遊星ギア減速機アセンブリを構成するように設計されるそれぞれのギアを保持する。この継手の回転子本体および固定子本体は、ロボットの他の構造的要素にボルトで固定される。
【０００６】
さらに、米国特許５，４２８，７１３号の文書は、モジュール式のロボットアームに関するが、それは全く同じである一連のモジュールから構成される。この場合、各々のモジュールは、ギア減速機を備えたモータ、モータと同軸であり直接接続された制御ユニット、モータの回転の軸を共有すべく、制御ユニットから外側へ伸長する固定軸、モータの回転の軸を共有すべく、モータから外側へ伸長する回転軸、固定軸に接続される第１端部と、モータの回転の軸と平行に可動軸の方へ伸長する別の端部とを有するＬ字型のブラケット、および可動軸に接続される一方の端部と、モータの回転の軸と平行に固定軸の方に伸長する他方の端部とを有するさらなるＬ字型のブラケットを含む。
【０００７】
しかしながら、今日入手可能であるモジュール式のロボット構成は、教育目的の用途に関しては満足からほど遠いことが判明している。
【０００８】
［発明の目的］
この文脈において、本発明の目的は、その具体的な使用目的による一連の利点、特に、構造の単純化の点から、アセンブリの容易性および迅速性、ならびに複数の使用可能性をデバイスに与えるであろう、共に組み合わせることができるモジュールを有する構造を、教育目的の機能デバイスに提供することである。
【０００９】
特に、本発明は、請求項１に規定される特徴を有する機能デバイスに関する。
【００１０】
特許請求の範囲は、本発明に関し、本明細書に提供される技術的な教示の不可欠な部分を形成する。
【００１１】
以下に詳細に示されるように、本明細書に説明される機能デバイスは、複数の使用構成を仮定するために提供され、特に単純で、速くて、安全な方法で組み立ておよび解体され得る。
【図面の簡単な説明】
【００１２】
本発明のさらなる特徴および利点は、添付の図面を参照して、次の説明から明らかになるであろう。図面は、単に非限定的な例として提供されるものであり、次のとおりである。
【図１】本明細書に説明されるデバイスの好ましい実施形態を不等角投影図により示し、そこで、それはロボットアームの構成に組み立てられる。
【図２Ａ】本明細書に説明されるデバイスの実施形態において使用される２つの継手の各々を正面図により示す。
【図２Ｂ】本明細書に説明されるデバイスの実施形態において使用される２つの継手の各々を正面図により示す。
【図３】図２Ｂの継手の分解不等角投影図を示す。
【図４】図３の分解表示の側面図を示す。
【図５】本明細書に説明されるデバイスの好ましい実施形態において使用される支持本体の不等角投影図を示す。
【図６Ａ】図５のコンポーネントを正面図において示す。
【図６Ｂ】図５のコンポーネントを下から見た平面図において示す。
【図６Ｃ】図５のコンポーネントを上面図において示す。
【図６Ｄ】図５のコンポーネントを断面図において示す。
【図７】本明細書に説明されるデバイスの１つの実施形態において使用されるさらなる支持本体を不等角投影図により示す。
【図８Ａ】図７のコンポーネントを正面図において示す。
【図８Ｂ】図７のコンポーネントを下から見た平面図において示す。
【図８Ｃ】図７のコンポーネントを上面図において示す。
【図８Ｄ】図７のコンポーネントを断面図において示す。
【図９】本明細書に説明されるデバイスの実施形態において提供される制御および電源ユニットのタイプのブロック図を示す。
【図１０】本明細書に説明されるデバイスを自己駆動車両の構成において示す。
【発明を実施するための形態】
【００１３】
次の説明において、複数の実施形態の徹底した理解を提供することを目的として、様々な具体的な詳細が示される。これら実施形態は、具体的な詳細のうちの１または複数がなくても達成され得、または他の方法、コンポーネント、もしくは材料等を用いて達成され得る。その他の場合において、実施形態の様々な態様が不明瞭にならないように、既知の構造、材料、または動作は、詳細には図示または説明されていない。
【００１４】
本明細書に使用される参照符号は、単に便宜上のものとして提供される。従って、保護領域または実施形態の範囲を画定するものではない。
【００１５】
上述のように、本明細書に説明されるデバイスは、教育目的で、共に組み合わせることができるモジュールを有する機能デバイスである。この使用に係る明細書に関して、デバイスの使用は、デバイスによる特定の動作の性能にというよりはむしろ、機能デバイスの構造およびプログラミングの予備段階の性能のためのものである。それらは、ユーザにこれらの段階を教示すること、および／またはおよびこれらの段階を実験することを主に目的として実行される。使用の目的地は、例えば、特にロボット工学に熱心である人々の学校あるいはコミュニティと考えられ得る。
【００１６】
上記のデバイスの好ましい実施形態は、図面に示される。図１において、デバイスは、ロボットアームの構成において組み立てられる一方、図１０において、デバイスは、プログラム可能な駆動を有する車両構成において組み立てられる。
【００１７】
本明細書に説明されるデバイスは、一連の支持本体により、さらに一連のモータ駆動式の継手により構成され、それらを介して支持本体は関節方式で共に接続されることが、ここで概して留意されるべきである。
【００１８】
図示される実施形態を具体的に参照すると、デバイスは、特に、モータ駆動式の継手２２および２４を含み、それらは一連のフレーム本体４２、４４と関節方式で共に接続する。図１において、デバイスがロボットアームの構成と考える場合、ブラケットのローマ数字は、各々のコンポーネントの参照符号と並んで、それぞれの一連の内部に対応するシーケンス番号を示す。すなわち、参照符号２２（ＩＩ）は、一連の継手の第２電動式の継手を示し、同様に参照符号４２（ＩＩ）は、一連のフレーム本体の第２フレーム本体を示す。
【００１９】
モータ駆動式の継手は、それぞれの回転の軸Ｘｉの周りの回転動作の個別の作動のためのユニットを構成する。特に、以下に詳細に示されるように、各々の継手は、１または複数の電気モータ、およびモータの電源および制御のためのモジュールを含む。
【００２０】
ここで、本明細書に説明されるデバイスの重要な特徴によれば、デバイスの継手は、継手の上述の電気モータをそれの内部に含む固定された第１の円筒部分と、上記に言及された電気モータにより駆動され、回転移動できる第２の円筒部分とを有する。同時に、フレーム本体はそれぞれ、第１シート部および第２シート部を特定し、それらは両方ともに円筒状であり、モータ駆動式の継手の固定される円筒部分あるいは可動の円筒部分を、その上に偏りなく収容し固定するために事前配置されている。
【００２１】
様々な好ましい実施形態において、図示される実施形態に示されるように、フレーム本体は、特に、２つの円筒シート部をそれぞれの軸が相互に直交した状態で配置すべく、全体としてＬ字型である断面プロファイルを有する。さらにまた、様々な好ましい実施形態において、図示される実施形態に示されるように、各々のフレーム本体は、２つの反対向きによる２つのモータ駆動式の継手を同時または別々に収容することが可能であるべく、２つの対向した同軸の円筒シート部がその直交側の少なくとも１つ上に設けられる。
【００２２】
ここで、図面の実施形態に戻ると、継手２２および２４は、固定された円筒部分２２Ａ、２４Ａと、可動の円筒部分２２Ｂおよび２４Ｂ（図２Ａおよび図２Ｂ）を有する。一方、フレーム本体４２および４４は、一方の側にそれぞれの円筒シート部４２Ａおよび４４Ａを有し、他方の側に２つの対向した円筒シート部４２Ｂ、４２Ｃおよび４４Ｂ、４４Ｃ（図６Ｄおよび図８Ｄ）を有する。
【００２３】
継手２２および２４と、同じようにして、フレーム本体４２および４４とは、それらの寸法に関して基本的に互いに異なり、特に、継手２２およびフレーム本体４２は、互いに直接接続されるために事前配置されるより大きいコンポーネントを構成し、同様に、継手２４およびフレーム本体４４は、共に直接接続され得るより小さいコンポーネントを構成する。以下に示されるように、デバイスは代わりに、共に接続する、例えば、大きいフレーム本体４２を小さい継手２４と接続するためのアダプタモジュールを想定し得、逆も同様である。
【００２４】
述べられたコンポーネントは、例えば、図１に示されるロボットアームを達成すべく、あるいは図１０の車両を達成すべく、共に組み立てられ得る。以下に示されるように、この適応性は、複数の様式に従って、継手およびフレーム本体を共に組み立てるというこのデバイスに与えられる可能性に由来する。
【００２５】
これらの基本的なコンポーネントを介して作り出すことが可能であるデバイスは、複数であることが明らかであり、実際において、この意味での可能性は、入手可能なコンポーネントの数に基本的に依存する。
【００２６】
上記の態様は、いずれの場合でも、以下に提供される個別のコンポーネントの構造の詳細な検討に続いて明らかになるであろう。
【００２７】
継手に関して、図３および図４に詳細に示されるより大きい継手２２を特に参照されたい。
【００２８】
様々な好ましい実施形態において、図示される実施形態に示されるように、継手の固定された円筒部分２２Ａは、管状容器２０２により構成され、それは、壁部２０１により一方の側で閉鎖され、穴の開いた外部の円筒口部２０３である中央部分に設けられる。壁部２０１に対して反対側で、円筒容器２０２は、カバー２０５により閉鎖され、それは穴の開いた内側の口部２０７が備えられ、容器２０２の中心の軸を共有する。カバー２０５は、従来タイプの固定部材を介して容器２２Ａに固定される。様々な好ましい実施形態において、図示される実施形態に示されるように、カバー２０５の側縁部に沿って、複数のねじ付き穴２０６が与えられ、同様に、容器２０２の端縁部に、カバー２０５が容器２０２上に組み立てられた場合に、穴２０６が位置合わせされる対応する位置において穴２０９が設けられる。この状態において、２つのコンポーネントは、関係付けられる穴に係合するねじによって、それゆえに共に固定される。
【００２９】
継手は、中央が中空の軸２１１を含み、それは、軸受け部材２０８の介在により、一方の側で、それの第１端部に近接して、カバー２０５の口部２０７により、その反対側の端部に近接して、容器２２Ａの口部２０３により、回転自在に支持される。
【００３０】
軸２１１は、リングナット２１３により係合される、それのねじ付き端部が口部２０７を通して外側へ突出し、それにより、口部２０７の外壁に対して軸受け部材２０８を固定する。
【００３１】
代わりに、軸２１１の反対側の端部は、さらなる円筒シェル２１２に固定されるように設計され、それにより、継手の第２の円筒部分２２Ｂを構成する。特に、シェル２１２は、容器２０２の壁と同一の直径である円筒側壁部と、容器に面する口縁部とを有する。
【００３２】
シェル２１２は、円形の底壁部２１７を有し、その上に軸２１１により旋回される中央開口部２１９が与えられる。壁部２１７の外側には、中央開口部２１９の周りに低くされた円形シート部２２１が作られ、それは、軸２１１の端部に画定されたフランジ２２３により係合される。フランジ２２３およびシート部２２１の底壁部は、対応する位置に共にねじで固定されるそれぞれの穴を有する。
【００３３】
内側の歯を有するリング２２５は、壁部２１７の内側に固定される。
【００３４】
代わりに、複数の電気モータ２２７が、容器２０２の内部に配置され、電気モータ２２７の出力シャフト上には、リング２２５の内側の歯と係合すべく、開口部２３１を通して壁部２０１を越えて突出するそれぞれのピニオン２２９が組み立てられる。
【００３５】
様々な好ましい実施形態において、モータ２２７は、一体化された減速機モジュールを有する。様々な好ましい実施形態において、図示される実施形態に示されるように、ブラケット２３３は、各々のモータまたはモータ減速機２２７と関連付けられ、それは、壁部２０１の外側に取り付けられ、軸方向にピニオン２２９を拘束すべく、それの端部と回転自在に係合するように設計されるピン２３３Ｂを備えた中央部分を有する。ピンのこのアセンブリモードは、モータ／モータ減速機の軸上の応力の減少を可能にする。
【００３６】
さらに、ブラケット２３３は、２つの穴の開いた側部を有し、それらは、壁部２０１に与えられた穴に対応する位置にそれら自身をセットするように設計される。同一の穴のエリアであるが、壁部の内側に、モータ２２７が代わりに、それの筐体に作られたねじ付き穴を提供する。ブラケット２３３の側部の穴に挿入され、壁部２０１を旋回した後、モータの筐体上に与えられたねじ付き穴に到達するねじによって、モータ２２７、ブラケット２３３および壁部２０１は、単一の工程において共に固定される。述べられたように、この状態において、ブラケット２３３の中央のピン２３３Ｂは、ピニオン２２９を軸方向に拘束する。
【００３７】
シェル２１２（上述されたように、継手の可動な円筒部分２２Ｂを構成する）は、モータ２２７、ピニオン２２９およびリング２２５により構成される駆動システムの結果として、継手の軸Ｘｉの周りの回転がセットされる。シェル２１２および容器２０２間のセットは、低摩擦の樹脂材料でできた環状要素２３７であり、それは、シェル２１２の端縁部に固定されることが、さらに留意されるべきである。この要素は、円筒部分２３９を有し、好ましくは、容器２０２およびシェル２１２の壁部と実質的に同一の直径を有し、それ自体を容器２０２の壁部２０１と摺動結合関係にセットする。要素２３７は、継手のコンポーネントを外部環境から分離すると同時に、シェル２１２および容器２０２と互いに連結する部分を摩耗から保護する機能を果たす。
【００３８】
継手の電源および制御ユニット２８０は、カバー２０５の外側に固定される。様々な好ましい実施形態において、図示される実施形態に示されるように、これは、カバー２０５上に直接固定され、外部から直接アクセス可能である様々な電子コンポーネントをその上に保持する１または複数のプリント回路基板（ＰＣＢ）により構成される。
【００３９】
このユニットは、図９に機能ブロックの程度で表される。この図を参照すると、ユニットは、制御モジュール２８２、移動検知デバイス２８４（例えば、１または複数の加速度計を含む）、１または複数の通信モジュール、特に、無線通信モジュール２８６（例えば、Ｗｉ−Ｆｉあるいはブルートゥース（登録商標）通信プロトコルを用いる）および有線データアクセスモジュール２８８、モータを駆動するための回路、特に、ＭＯＳＦＥＴ駆動回路２９０、好ましくは、Ｈブリッジを含む、および信号増幅器モジュール２９２（後者はさらに、場合により駆動回路の一部を形成する）を含む。
【００４０】
様々な好ましい実施形態において、ユニット２８０はさらに、オペレータに都合よく、具体的な用途に対して想定される一連の継手の個別の継手を特定する符号を再生する小ディスプレイ２９４を含む。例えば、図１のデバイスを参照すると、第２継手２２（ＩＩ）と関連しているディスプレイは、ローマ数字「ＩＩ」を再生し得る。この情報は、制御モジュール２８２に含まれる。
【００４１】
各々の継手の制御ユニット２８０は、具体的なプロトコルとは独立してプログラムされることとなる。
【００４２】
さらに、様々な好ましい実施形態において、各々の継手は、エンコーダ２２８は、モータ２２７の少なくとも１つと関連付けられ（図４参照）、制御モジュール２８２との信号接続がセットされる。
【００４３】
好ましくは、本明細書に説明される機能デバイスはさらに、中央制御ユニット３０２を含み、様々な継手のユニット２８０がそれと通信し、中央制御ユニット３０２は、例えば、センサデバイス２８４と、エンコーダ２８２とから得られる信号に基づき、様々な継手を共に調整するための制御信号をユニットに送信するために構成される。このユニット３０２は、パーソナルコンピュータを介してプログラムされるために構成され得る（図１参照）。さらに、ユニット３０２は、様々な継手の電力供給用のバッテリパックを含み得る。様々な継手の中央ユニット３０２との電気および／または信号接続は、それぞれの中空軸２１１の内部に伸びる、様々な継手を通過する配線によって達成され得る。
【００４４】
フレーム本体に関して、ここで図５および６Ａ−Ｄに示されるフレーム本体４２に参照がなされる。
【００４５】
この本体は、円形の断面が同一の直径を有した２つの管状部分４１２および４１４を有し、それぞれの軸Ｉ１およびＩ２が互いに直交し、同時に１つの同一の平面に含まれるように、互いに方向を合わせられる。これらの部分は、凹部の接続面４１６により共に接続され、それは、その内部にフレーム本体の構造を強化するように設計される一連の肋材を有する。それの実質的に中央の断面において、２つの部分４１４および４１２は、それぞれの内部の環状フランジ部４１３および４１７を有する。
【００４６】
図６Ｄを参照すると、フランジ４１３は、部分４１２の下にある領域と共に、上記に言及された円筒シート部４２Ａを特定する。一方、内部のフランジ部４１７は、管状部分４１４を２つの実質的に等しい部分に分割し、これらと共に、上記に言及された２つの円筒シート部４２Ｂおよび４２Ｃを画定し、本図に示されるように、それらは、反対方向に向いている。
【００４７】
シート部４２Ａ、４２Ｂおよび４２Ｃの各々は、継手２２の円筒部分２２Ａおよび２２Ｂの各々との形状適合を達成するために事前配置される。この関連において、部分４１４および４１２の内径は、これらの外壁部が、実質的にそれらの全周に、シート部の内壁部と実質的に同一平面にセットされている状態に従って、上記に示されたシート部が、円筒部分２２Ａおよび２２Ｂを収容する円筒部分を収容するように選択されることが、留意されるべきである。
【００４８】
対応する穴２７９、特にねじ付き穴と位置合わせされるために事前配置される複数の開口部４１９が、フランジ部４１３および４１７上に与えられ、継手の、特にそのカバー２０５上の固定された円筒部分と、継手の、特にその円形の壁部２１７上の可動部分との両方に作られることは、留意されるべきである。これらの穴部および開口部により、継手が簡易なねじでフレーム本体のシート部に固定されることを可能にする。
【００４９】
様々な好ましい実施形態において、図示される実施形態に示されるように、継手により占有されていないシート部は、単に美的な目的で、ファスキア４８により閉鎖され得る。
【００５０】
上記に述べられたように、継手２４およびフレーム本体４４は、継手２２とフレーム本体４２とに関して上記に説明された実質的に同一の構造と、同一の工程様式を有する。
【００５１】
ここで図１に戻ると、図示されたロボットアームの構成は、複数の様式に従って継手およびフレーム本体を共に組み立てるという示された可能性を利用することにより達成される。
【００５２】
実際、参照符号４２（Ｉ）により示される第１フレーム本体に関して、そのシート部４２Ａにおいて第１継手２２（Ｉ）の可動部分２２Ｂと、そのシート部４２Ｂにおいて第２継手２２（ＩＩ）の固定部分とを収容する。
【００５３】
第２フレーム本体４２（ＩＩ）は、代わりに、そのシート部４２Ｂにおいて第２継手２２（ＩＩ）の可動部分と、代わりに、そのシート部４２Ａでスペーサ要素（図示せず）とを収容し、それは、このフレーム本体を、次のフレーム本体、すなわち、第３フレーム本体４２（ＩＩＩ）に強固に固定するように設計される。
【００５４】
第３フレーム本体４２（ＩＩＩ）は、そのシート部４２Ａにおいて今述べたスペーサ要素と、そのシート部４２Ｂにおいて第３継手２２（ＩＩＩ）の固定部分とを収容する。
【００５５】
第４フレーム本体４２（ＩＶ）は、そのシート部４２Ｂにおいて第３継手２２（ＩＩＩ）の可動部分と、そのシート部４２Ａにおいてアダプタ（図示せず）とを収容し、その内部に第４継手２４（ＩＶ）の固定部分が収容される。
【００５６】
第５フレーム本体４４（Ｖ）は、そのシート部４４Ａにおいて第４継手２４（ＩＶ）の可動部分と、そのシート部４４Ｂにおいて第５継手２４（Ｖ）の固定部分とを収容する。
【００５７】
最後に、第６フレーム本体４４（ＶＩ）は、そのシート部４４Ａにおいて第５継手２４（Ｖ）の可動部分と、そのシート部４４Ｃにおいて第６継手２４（ＶＩ）の固定部分とを収容する。
【００５８】
ここで図１０に示される構成を参照すると、図示されるプログラム可能な車両は、図１の同一の中央ユニット３０２により構成されるフレーム本体と、ステアリング用の前輪アセンブリ６２と、２つの後輪アセンブリ６４とを含み、後輪アセンブリ６４は、継手およびフレーム本体の様々な組み合わせにより構成される。
【００５９】
特に、前輪アセンブリ６２は、フレーム本体４４により構成され、それは、その３つのシート部４４Ａ、４４Ｂおよび４４Ｃの内部に、同数の継手２４の固定部分２４Ａを収容する。シート部４４Ｂおよび４４Ｃの内部に収容される継手２４は、それらの可動部分２４Ｂによってそれぞれの車輪のハブに接続される。シート部４４Ａの内部に収容される継手２４は、その可動部分２４Ｂを介して、代わりに中央ユニット３８２に接続される。始めの２つの継手２４は、モータ部材として動作する一方、第３継手は、ステアリング機能を果たす。
【００６０】
一方、後輪アセンブリ６４はそれぞれ、そのシート部４２Ａを介して車両のフレームに接続されるフレーム本体４２により構成され、代わりに、シート部４２Ｃの内部に、継手２２の固定部分２２Ａを収容する。この継手の可動部分２２Ｂは、代わりに、それぞれの車輪のハブに接続される。
【００６１】
中央ユニット３０２の車両の構造の一部としての使用により、配線の使用なしで済ませることを可能にし、これにより、車両それ自体の移動を容易にすることは、留意され得る。
【００６２】
継手のフレーム本体および筐体は、金属、例えば、アルミニウムで作られ得、あるいはポリマ材料、好ましくは、様々な本体の射出成形に適しているポリマ材料、例えば、ガラス繊維充填剤を有するポリアミドで作られ得る。
【００６３】
前述に照らすと、本明細書に説明されるデバイスの利点は、ここで明らかである。一方では、それは、機能的構成の広い範囲を仮定する可能性を与え、それによりユーザのプランニングおよびプログラミングの関心および能力を刺激する。さらに、そのコンポーネントは、実際には、わずかに少数のねじで十分である以上は、急速に組み立てられ、解体され得るが、同時に、その取り付け部分を特徴付ける、上記に説明される円筒ジオメトリのおかげで、固定された安全な接続を提供し得る。
【００６４】
もちろん、本発明の原理を損なうことなく、構造の詳細および実施形態は、本明細書に単に非限定的な例として示されるものに対して添付の特許請求の範囲によって規定されるように、それにより本発明の範囲から逸脱することなく顕著にさえ変化し得る。
【図１】
2018108637.tif 000003
【図２Ａ】
2018108637.tif 000004
【図２Ｂ】
2018108637.tif 000005
【図３】
2018108637.tif 000006
【図４】
2018108637.tif 000007
【図５】
2018108637.tif 000008
【図６Ａ】
2018108637.tif 000009
【図６Ｂ】
2018108637.tif 000010
【図６Ｃ】
2018108637.tif 000011
【図６Ｄ】
2018108637.tif 000012
【図７】
2018108637.tif 000013
【図８Ａ】
2018108637.tif 000014
【図８Ｂ】
2018108637.tif 000015
【図８Ｃ】
2018108637.tif 000016
【図８Ｄ】
2018108637.tif 000017
【図９】
2018108637.tif 000018
【図１０】
2018108637.tif 000019
【外国語明細書】
2018108637000001.pdf